(57)【要約】【課題】表示装置から取り外された表示媒体に表示されている情報を、表示装置側で見えるようにすること。【解決手段】本発明の表示装置は、階層的に配置した複数の表示媒体と、前記複数の表示媒体を取り外し可能に保持する保持部と、前記複数の表示媒体の各々に表示されている情報を記憶する記憶部と、前記表示媒体の前記保持部への取り付けおよび前記保持部からの取り外しを検出する検出部と、前記複数の表示媒体のうちの第１の表示媒体の取り外しを前記検出部が検出した場合、該第１の表示媒体に表示されている情報を、前記保持部に保持されている他の表示媒体に表示する制御部と、を有する。【選択図】図２
2013068858.tif 000002
【特許請求の範囲】
【請求項１】
階層的に配置した複数の表示媒体と、
前記複数の表示媒体を取り外し可能に保持する保持部と、
前記複数の表示媒体の各々に表示されている情報を記憶する記憶部と、
前記表示媒体の前記保持部への取り付けおよび前記保持部からの取り外しを検出する検出部と、
前記複数の表示媒体のうちの第１の表示媒体の取り外しを前記検出部が検出した場合、該第１の表示媒体に表示されている情報を、前記保持部に保持されている他の表示媒体に表示する制御部と、を有する表示装置。
【請求項２】
前記制御部は、
複数の第１の表示媒体の取り外しを前記検出部が検出した場合、該複数の第１の表示媒体に表示されている情報を、前記保持部に保持されている他の１つの表示媒体に縮小表示する、請求項１に記載の表示装置。
【請求項３】
前記記憶部は、
前記複数の表示媒体毎に、該表示媒体に表示している情報の識別子と版数を記憶し、
前記制御部は、
前記複数の表示媒体のうちの第２の表示媒体の取り付けを前記検出部が検出した場合、前記保持部に保持されている表示媒体の中に、前記第２の表示媒体と識別子が同一で版数が新しい情報が表示されている表示媒体があれば、該表示媒体に表示されている情報を前記第２の表示媒体に表示する、請求項１または２に記載の表示装置。
【請求項４】
前記記憶部は、
前記複数の表示媒体毎に、該表示媒体に表示している情報の識別子と版数を記憶すると共に、該表示媒体が前記保持部に保持されていれば、該表示媒体が保持されている前記保持部上の位置の情報を記憶し、
前記制御部は、
前記複数の表示媒体のうちの第２の表示媒体の取り付けを前記検出部が検出した場合、該第２の表示媒体が取り付けられた前記保持部上の位置に応じて決められた位置にて前記保持部に保持されている表示媒体の中に、前記第２の表示媒体と識別子が同一で版数が新しい情報が表示されている表示媒体があれば、該表示媒体に表示されている情報を前記第２の表示媒体に表示する、請求項１または２に記載の表示装置。
【請求項５】
通信部をさらに有し、
前記制御部は、
前記第１の表示媒体の取り外しを前記検出部が検出した場合、該第１の表示媒体に表示されている情報の識別子を該第１の表示媒体に表示し、
前記通信部は、
他の装置から情報の識別子が通知されると、該情報を該他の装置に送信する、請求項３または４に記載の表示装置。
【請求項６】
前記制御部は、
前記第１の表示媒体に表示されている情報の識別子を画像情報に符号化し、該画像情報を該第１の表示媒体に表示する、請求項５に記載の表示装置。
【請求項７】
階層的に配置した複数の表示媒体を、保持部にて取り外し可能に保持する表示装置による表示方法であって、
前記表示媒体の前記保持部への取り付けおよび前記保持部からの取り外しを検出し、
前記複数の表示媒体のうちの第１の表示媒体の取り外しが検出された場合、該第１の表示媒体に表示されている情報を、前記保持部に保持されている他の表示媒体に表示する、表示方法。
【請求項８】
階層的に配置した複数の表示媒体を、保持部にて取り外し可能に保持する表示装置に、
前記表示媒体の前記保持部への取り付けおよび前記保持部からの取り外しを検出する手順と、
前記複数の表示媒体のうちの第１の表示媒体の取り外しが検出された場合、該第１の表示媒体に表示されている情報を、前記保持部に保持されている他の表示媒体に表示する手順と、を実行させるためのプログラム。
【発明の詳細な説明】
【技術分野】
【０００１】
本発明は、情報を表示する表示装置、表示方法およびプログラムに関する。
【背景技術】
【０００２】
近年、情報を表示する表示装置として、複数の薄い表示媒体から構成され、複数の表示媒体の各々に情報を表示するものが提案されている（例えば、特許文献１参照）。
【０００３】
また、表示媒体を電子ペーパーとするものも提案されている（例えば、特許文献２参照）。特許文献２にも開示されているように、最近の電子ペーパーの多くは、情報の書き込み時にのみ電圧の印加が必要で、情報の保持のための電圧は不要である。そのため、電子ペーパーを表示装置から取り外して使用することも可能である。
【０００４】
なお、本明細書では、表示装置を閉じた状態で一番上位にある表示媒体、または、操作者に面して一番上位にある表示媒体を最上層とし、逆方向にある表示媒体を下層にあると定義する。また、表示装置を開いた状態で、表示媒体の情報を表示する表示部の全面が操作者から視認可能となる表面上に位置する表示媒体を最前面と定義する。
【先行技術文献】
【特許文献】
【０００５】
【特許文献１】特開２００３−５８０８１号公報
【特許文献２】特開２００６−９１２２６号公報
【発明の概要】
【発明が解決しようとする課題】
【０００６】
上述のように、特許文献２に開示されたような表示装置においては、表示媒体を取り外して使用することが可能である。
【０００７】
そのため、例えば、操作者が、表示媒体に表示されている情報を第三者に見せるために、その表示媒体を表示装置から取り外し、第三者に渡す場合もあると考えられる。
【０００８】
しかし、この場合、操作者自身は、取り外された表示媒体に表示されている情報が見えなくなってしまうという問題点がある。
【０００９】
そこで、本発明の目的は、上述した課題を解決することができる表示装置、表示方法およびプログラムを提供することにある。
【課題を解決するための手段】
【００１０】
本発明の表示装置は、
階層的に配置した複数の表示媒体と、
前記複数の表示媒体を取り外し可能に保持する保持部と、
前記複数の表示媒体の各々に表示されている情報を記憶する記憶部と、
前記表示媒体の前記保持部への取り付けおよび前記保持部からの取り外しを検出する検出部と、
前記複数の表示媒体のうちの第１の表示媒体の取り外しを前記検出部が検出した場合、該第１の表示媒体に表示されている情報を、前記保持部に保持されている他の表示媒体に表示する制御部と、を有する。
【００１１】
本発明の表示方法は、
階層的に配置した複数の表示媒体を、保持部にて取り外し可能に保持する表示装置による表示方法であって、
前記表示媒体の前記保持部への取り付けおよび前記保持部からの取り外しを検出し、
前記複数の表示媒体のうちの第１の表示媒体の取り外しが検出された場合、該第１の表示媒体に表示されている情報を、前記保持部に保持されている他の表示媒体に表示する。
【００１２】
本発明のプログラムは、
階層的に配置した複数の表示媒体を、保持部にて取り外し可能に保持する表示装置に、
前記表示媒体の前記保持部への取り付けおよび前記保持部からの取り外しを検出する手順と、
前記複数の表示媒体のうちの第１の表示媒体の取り外しが検出された場合、該第１の表示媒体に表示されている情報を、前記保持部に保持されている他の表示媒体に表示する手順と、を実行させる。
【発明の効果】
【００１３】
本発明によれば、操作者は、保持部に保持されていた第１の表示媒体を取り外したとしても、その第１の表示媒体に表示されていた情報を見ることができるという効果が得られる。
【図面の簡単な説明】
【００１４】
【図１Ａ】本発明の一実施形態の表示装置の外観図である。
【図１Ｂ】本発明の一実施形態の表示装置の外観図である。
【図２】図１Ａおよび図１Ｂに示した表示装置の機能ブロック図である。
【図３】図２に示した記憶部が記憶するテーブルを示す図である。
【図４】図１Ａおよび図１Ｂに示した表示装置において、表示媒体を取り外す時の動作の流れを説明するフローチャートである。
【図５】図１Ａおよび図１Ｂに示した表示装置において、表示媒体を取り外す時の動作の具体例を説明する図である。
【図６】図１Ａおよび図１Ｂに示した表示装置において、表示媒体を取り付ける時の動作の流れを説明するフローチャートである。
【図７】図１Ａおよび図１Ｂに示した表示装置において、表示媒体を取り付ける時の動作の具体例を説明する図である。
【発明を実施するための形態】
【００１５】
以下に、本発明を実施するための形態について図面を参照して説明する。
（１）本実施形態の構成
図１Ａおよび図１Ｂは、本実施形態の表示装置１の外観図である。
【００１６】
図１Ａおよび図１Ｂに示すように、本実施形態の表示装置１は、階層的に重ねた表示媒体１０−Ｄ１〜１０−Ｄ４（以下、どの表示媒体か特定しないときは表示媒体１０と称す）と、それらの表示媒体１０個々の一辺を保持するための保持部２０と、を有している。
【００１７】
なお、図１Ａおよび図１Ｂにおいては、表示媒体１０が４つである場合を例に挙げて示しているが、表示媒体１０の数は２つ以上であれば良い。
【００１８】
表示媒体１０−Ｄ１〜１０−Ｄ４は、画像や文字等の情報を表示する表示部を有する。なお、情報を表示する表示部は、表面、裏面少なくともいずれか一方の面上に実装されていれば良い。
【００１９】
また、表示媒体１０−Ｄ１〜１０−Ｄ４は、図１Ｂに示すように、保持部２０からの取り外しや、保持部２０への取り付けが可能である。
【００２０】
また、表示媒体１０−Ｄ１〜１０−Ｄ４は、表示部が電子ペーパーである場合、電圧の印加により表示する情報の書き換えが行われ、その情報の保持のための電圧は不要であるという特性を持つ。
【００２１】
そのため、表示媒体１０−Ｄ１〜１０−Ｄ４は、保持部２０から取り外された状態でも、表示している情報を保持することが可能である。
【００２２】
なお、表示部が、他の表示デバイスにより表示させられるものである場合であっても、各表示媒体１０内に蓄電可能なデバイスや発電機構等、表示処理可能な駆動機構を有していれば、取り外された状態であっても表示状態を維持することが可能である。また、表示情報を一時的に保持する保持手段を有していれば、保持部２０や、他の駆動機構を有するデバイスに保持されるなどで、表示媒体１０が通電状態になったときに、直ちに保持された表示情報に基づいて再描画処理がなされる。
【００２３】
また、表示媒体１０−Ｄ１〜１０−Ｄ４は、自身の識別子を内部に保持している。この識別子は、保持部２０内に設けられた後述する制御部６０にて読み取り可能である。
【００２４】
なお、表示媒体１０−Ｄ１〜１０−Ｄ４は、マイクロカプセル方式（Gyricon方式）、液晶方式、電気泳動方式等の公知の方式を適用した電子ペーパー等で実現可能である。
【００２５】
保持部２０は、表示媒体１０−Ｄ１〜１０−Ｄ４が着脱可能であり、かつ、見開き可能に表示媒体１０−Ｄ１〜１０−Ｄ４を保持することも可能とする。
【００２６】
ここでは、保持部２０は、表示媒体１０が挿入される被挿入部材（スロット等）と、その被挿入部材に挿入された表示媒体１０をロック（固定）するロック機構と、の組み合わせを、表示媒体１０−Ｄ１〜１０−Ｄ４の各々に対応して設けた構成とする。なお、ここでの表示媒体１０を保持する方法は、一例であって、他の方法で表示媒体１０を保持することとしても良い。
【００２７】
なお、ロック機構の構成は、特に限定はなく、例えば、予め決められた保持位置で、表示媒体１０側に設けた孔をロック機構側に設けたピンと係合させるような構成とすることが考えられる。
【００２８】
また、被挿入部材は、電極を備えている。保持部２０内に設けられた後述する制御部６０は、この電極を介して保持部２０に保持された表示媒体１０と電気的に接続される。特に、表示媒体１０の有する表示部が、電子ペーパーである場合、この電極を介して保持部２０に保持された表示媒体１０に電圧を印加して情報を書き換える。
【００２９】
図２は、本実施形態の表示装置１の機能ブロック図である。
【００３０】
図２に示すように、本実施形態の表示装置は、表示媒体１０−Ｄ１〜１０−Ｄ４と、記憶部３０と、検出部４０と、通信部５０と、制御部６０と、を有している。なお、記憶部３０、検出部４０、通信部５０、および制御部６０は、図１Ａおよび図１Ｂに示した保持部２０の内部に設けられている。
【００３１】
記憶部３０は、表示媒体１０−Ｄ１〜１０−Ｄ４に表示されている情報を記憶する。
【００３２】
検出部４０は、表示媒体１０−Ｄ１〜１０−Ｄ４が保持部２０へ取り付けられたことを検出する。なお、検出部４０は、表示媒体１０が被挿入部材に挿入されたこと、または、表示媒体１０が被挿入部材に挿入されかつロック機構で固定されたことをもって、保持部２０へ取り付けられたと検出する。
【００３３】
また、検出部４０は、表示媒体１０−Ｄ１〜１０−Ｄ４が保持部２０から取り外されることを検出する。なお、検出部４０は、ロック機構による表示媒体１０のロックが解除されたことをもって、保持部２０から取り外されると検出する。言い換えれば、検出部４０は、表示媒体１０が保持部２０から取り外されるトリガを検出していることになる。
【００３４】
通信部５０は、他の装置との通信を行う。
【００３５】
なお、通信部５０は、赤外線通信やブルートゥース通信等の近距離無線通信により他の装置と直接通信するものでも良いし、インターネット上のサーバを介して他の装置と通信するものでも良い。
【００３６】
制御部６０は、保持部２０に保持されている表示媒体１０から、その表示媒体１０の識別子を読み取り可能である。また、制御部６０は、その表示媒体１０が保持されている被挿入部材を識別可能である。
【００３７】
そのため、制御部６０は、どの表示媒体１０が、保持部２０上のどの位置（被挿入部材の位置に対応）に保持されているか判断することが可能である。なお、ここでの表示媒体１０の保持部２０上の位置を判断する方法は、一例であって、他の方法で表示媒体１０の保持部２０上の位置を判断しても良い。
【００３８】
また、制御部６０は、保持部２０に保持されている表示媒体１０に情報を表示させる。ここで、表示媒体１０に表示されている情報を書き換える際には、制御部６０は、被挿入部材に備えられた電極を介して表示媒体１０に電圧を印加して、情報を書き換える。
【００３９】
また、制御部６０は、図３に示すように、表示媒体１０−Ｄ１〜１０−Ｄ４毎に、その表示媒体１０の識別子と、その表示媒体１０に表示されている情報の識別子および版数（例えば、表示媒体１０−Ｄ１の情報は、ｘが識別子、ｖｅｒ．１が版数を表す。以下、同じ）と、その表示媒体１０が保持されている保持部２０上の位置（被挿入部材の位置に対応）と、を登録したテーブルを記憶部３０に記憶させる。
【００４０】
なお、制御部６０は、ある情報が更新された場合、その情報の識別子はそのままにして、新たな版数に更新する（例えば、版数を１インクリメントする）。また、図３において、表示媒体１０−Ｄ３の保持位置は空欄になっているが、これは、その時点で表示媒体１０−Ｄ３が保持部２０から取り外されていることを意味する。
【００４１】
また、制御部６０は、保持部２０に保持されている表示媒体１０のいずれか（第１の表示媒体）が取り外される場合、第１の表示媒体１０に表示されている情報を、保持部２０に保持されている他の表示媒体１０に表示する。
【００４２】
そのため、操作者は、保持部２０に保持されていた第１の表示媒体１０を取り外して第三者に渡したとしても、第１の表示媒体１０に表示されていた情報を見たり、第１の表示媒体１０に表示されていた情報を編集したりすることができる。
【００４３】
また、制御部６０は、表示媒体１０のいずれか（第２の表示媒体）が保持部２０に取り付けられた場合、保持部２０に保持されている表示媒体１０の中に、第２の表示媒体１０と識別子が同一で版数が新しい情報が表示されている表示媒体１０があれば、その表示媒体１０に表示されている情報を第２の表示媒体１０に表示する。
【００４４】
そのため、操作者は、第２の表示媒体１０が取り外されている間に、第２の表示媒体１０に表示されていて他の表示媒体１０に表示した情報を編集して更新した場合、更新後の情報を元の第２の表示媒体１０に表示することができる。
（２）本実施形態の動作
以下、本実施形態の表示装置１の動作について説明する。
（２−１）表示媒体１０を取り外す時の動作
図４は、本実施形態の表示装置１において、表示媒体１０を取り外す時の動作の流れを説明するフローチャートである。
【００４５】
図４に示すように、まず、制御部６０は、表示媒体１０のいずれか（第１の表示媒体）が保持部２０から取り外されることを検出部４０が検出したかを判断する（ステップＳ１１）。
【００４６】
ステップＳ１１において、第１の表示媒体１０が取り外れることが検出された場合（ステップＳ１１のＹｅｓ）、制御部６０は、第１の表示媒体１０に表示されている情報を記憶部３０から読み出し、保持部２０に保持されている他の表示媒体１０に表示する（ステップＳ１２）。
【００４７】
その後、制御部６０は、記憶部３０に記憶されたテーブルを更新する（ステップＳ１３）。すなわち、制御部６０は、テーブル上で、第１の表示媒体１０の保持位置を空欄とし、また、第１の表示媒体１０に表示していた情報を表示させた他の表示媒体１０には、その情報の識別子と版数を登録する。
【００４８】
なお、第１の表示媒体１０に表示していた情報を表示させる他の表示媒体１０は、第１の表示媒体１０の保持位置に応じて決定しても良い。例えば、第１の表示媒体１０の下層に位置する表示媒体１０に決定することができる。
【００４９】
以下、表示媒体１０を取り外す時の動作の具体例について説明する。
【００５０】
図５は、本実施形態の表示装置１において、表示媒体１０を取り外す時の動作の具体例を説明する図である。
【００５１】
なお、図５の各状態において、上側の図面は、表示装置１を図１Ａおよび図１ＢのＸ側から見た場合の概念図であり、下側の図面は、記憶部３０に記憶されたテーブルの内容を示す図面である（以下の図７において同じ）。
【００５２】
また、図５においては、第１の表示媒体１０が取り外された場合、第１の表示媒体１０の下層に位置する表示媒体１０に、第１の表示媒体１０に表示していた情報を表示させるという設定が、予め記憶部３０に記憶されているものとする。
【００５３】
図５に示すように、状態Ｘ１では、保持部２０には、最前面から下層に向けて、表示媒体１０−Ｄ１〜１０−Ｄ４がこの順に保持されていて、表示媒体１０−Ｄ２には、情報ｘ−ｖｅｒ．１が表示されている。この状態で、保持部２０の保持位置ｐ２にて保持されている表示媒体１０−Ｄ２が取り外されたとする。
【００５４】
すると、続く状態Ｘ２では、制御部６０は、表示媒体１０−Ｄ２に表示されている情報ｘ−ｖｅｒ．１を、表示媒体１０−Ｄ２の下層に位置する表示部１０−Ｄ３に表示する。また、制御部６０は、テーブル上で、表示媒体１０−Ｄ２の保持位置を空欄にすると共に、表示媒体１０−Ｄ３には情報ｘ−ｖｅｒ．１を登録する。
（２−２）表示媒体１０を取り付ける時の動作
図６は、本実施形態の表示装置１において、表示媒体１０を取り付ける時の動作の流れを説明するフローチャートである。
【００５５】
図６に示すように、まず、制御部６０は、表示媒体１０のいずれか（第２の表示媒体）が保持部２０に取り付けられたことを検出部４０が検出したかを判断する（ステップＳ２１）。
【００５６】
ステップＳ２１において、第２の表示媒体１０が取り付けられたことが検出された場合（ステップＳ２１のＹｅｓ）、制御部６０は、第２の表示媒体１０から、第２の表示媒体１０の識別子を読み出し、記憶部３０に記憶されたテーブルを参照して、第２の表示媒体１０に表示されている情報の識別子と版数を特定する（ステップＳ２２）。
【００５７】
次に、制御部６０は、保持部２０に保持されている表示媒体１０の中に、第２の表示媒体１０と識別子が同一で版数が新しい情報が表示されている表示媒体１０があるかを判断する（ステップＳ２３）。
【００５８】
ステップＳ２３において、該当する表示媒体１０がある場合（ステップＳ２３のＹｅｓ）、制御部６０は、該当する表示媒体１０に表示されている情報を記憶部３０から読み出し、第２の表示媒体１０に表示する（ステップＳ２４）。
【００５９】
その後、制御部６０は、記憶部３０に記憶されたテーブルを更新する（ステップＳ２５）。すなわち、制御部６０は、テーブル上で、第２の表示媒体１０には保持位置を登録すると共に、新たに表示した情報の識別子と版数を登録する。
【００６０】
なお、第２の表示媒体１０が取り付けられる保持位置に応じて、第２の表示媒体１０と識別子が同一で版数が新しい情報を、第２の表示媒体１０に表示させるか否を決定しても良い。例えば、第２の表示媒体１０と識別子が同一で版数が新しい情報が表示されている表示媒体１０が、第２の表示媒体１０の上層または下層に位置している場合にのみ表示すると決定したり、または、第２の表示媒体１０の下層に位置している場合にのみ表示すると決定したりすることができる。
【００６１】
以下、表示媒体１０を取り付ける時の動作の具体例について説明する。
【００６２】
図７は、本実施形態の表示装置１において、表示媒体１０を取り付ける時の動作の具体例を説明する図である。
【００６３】
なお、図７においては、第２の表示媒体１０と識別子が同一で版数が新しい情報が、第２の表示媒体１０の下層に位置している表示媒体１０に表示されている場合にのみ、その表示媒体１０に表示していた情報を第２の表示媒体１０に表示させるという設定が、予め記憶部３０に記憶されているものとする。
【００６４】
図７に示すように、状態Ｙ１は、図５に示した状態Ｘ２において、表示媒体１０−Ｄ３に表示されていた情報ｘ−ｖｅｒ．１が２回更新され、情報ｘ−ｖｅｒ．３になっている状態である。この状態で、保持部２０の保持位置ｐ２に表示媒体１０−Ｄ２が取り付けられたとする。
【００６５】
すると、続く状態Ｙ２では、制御部６０は、表示媒体１０−Ｄ２から、表示媒体１０−Ｄ２の識別子を読み出し、記憶部３０に記憶されたテーブルを参照して、表示媒体１０−Ｄ２に表示されている情報を情報ｘ−ｖｅｒ．１と特定する。
【００６６】
次に、制御部６０は、記憶部３０に記憶されたテーブルを参照して、表示媒体１０−Ｄ２が取り付けられる保持位置の下層に位置している表示媒体１０−Ｄ３に、表示媒体１０−Ｄ２に表示されている情報ｘ−ｖｅｒ．１と識別子が同一で版数が新しい情報が表示されているかを判断する。
【００６７】
ここでは、表示媒体１０−Ｄ３には、情報ｘ−ｖｅｒ．１と識別子が同一で版数が新しい情報ｘ−ｖｅｒ．３が表示されているので、制御部６０は、この情報ｘ−ｖｅｒ．３を表示媒体１０−Ｄ２に表示する。また、制御部６０は、テーブル上で、表示媒体１０−Ｄ２に、保持位置ｐ２を登録すると共に、情報ｘ−ｖｅｒ．３を登録する。
【００６８】
上述したように本実施形態においては、制御部６０は、保持部２０に保持されている表示媒体１０のいずれか（第１の表示媒体）が取り外される場合、第１の表示媒体１０に表示されている情報を一時的に記憶部３０に記憶する。その後、制御部５０より、記憶部３０に記憶された当該表示情報の出力先の表示部の指定を受けると、記憶部３０から一時的に記憶された表示情報を読み出して、保持部２０に保持されている他の表示媒体１０に表示する。
【００６９】
そのため、操作者は、保持部２０に保持されていた第１の表示媒体１０を取り外して第三者に渡したとしても、第１の表示媒体１０に表示されていた情報を見たり、第１の表示媒体１０に表示されていた情報を編集したりすることができる。
【００７０】
また、制御部６０は、表示媒体１０のいずれか（第２の表示媒体）が保持部２０に取り付けられた場合、保持部２０に保持されている表示媒体１０の中に、第２の表示媒体１０と識別子が同一で版数が新しい情報が表示されている表示媒体１０があれば、その表示媒体１０に表示されている情報を第２の表示媒体１０に表示する。
【００７１】
そのため、操作者は、第２の表示媒体１０が取り外されている間に、第２の表示媒体１０に表示されていて他の表示媒体１０に表示した情報を編集して更新した場合、更新後の情報を元の第２の表示媒体１０に表示することができる。
【００７２】
以上、実施形態を参照して本発明を説明したが、本発明は上記実施形態に限定されるものではない。本発明の構成や詳細には、本発明の範囲内で当業者が理解し得る様々な変更をすることができる。
【００７３】
例えば、上記実施形態においては、第１の表示媒体１０が１つずつ取り外されることを前提としていたが、複数の第１の表示媒体１０が同時に取り外されることも考えられる。そこで、複数の第１の表示媒体１０が同時に取り外される場合、制御部６０は、それら複数の第１の表示媒体１０に表示されている情報を、保持部２０に保持されている他の１つの表示媒体１０に縮小表示しても良い。
【００７４】
また、保持部２０に保持されていた第１の表示媒体１０を取り外して第三者に渡した場合、その第三者は、その第１の表示媒体１０に表示されている情報を、自身が所有する装置（例えば、携帯電話機）にも表示したい場合がある。この要求に対応するため、例えば、以下の構成とすることができる。
【００７５】
すなわち、制御部６０は、第１の表示媒体１０が取り外される場合、その第１の表示媒体１０に表示されている情報の識別子（版数を含めても良い）と自身の表示装置１のアドレス等を、その第１の表示媒体１０に表示させる。なお、これらは、画像情報（例えば、二次元コード）に符号化した上で表示することが好ましい。
【００７６】
ここで、他の装置が、表示されている画像情報を撮影して、その画像情報に符号化されている情報の識別子とアドレスを抽出し、赤外線通信やブルートゥース通信等の近距離無線通信により直接アクセスするか、または、インターネット上のサーバを介して上記のアドレスに従ってアクセスし、上記の情報の識別子を表示装置１に通知してきたとする。
【００７７】
その場合、制御部６０は、通知された識別子に対応する情報を記憶部３０から読み出し、通信部５０を介して他の装置に送信する。
【００７８】
なお、本発明の表示装置１にて行われる方法は、コンピュータに実行させるためのプログラムに適用してもよい。また、そのプログラムを記憶媒体に格納することも可能であり、ネットワークを介して外部に提供することも可能である。
【符号の説明】
【００７９】
１    表示装置
１０−Ｄ１〜１０−Ｄ４    表示媒体
２０    保持部
３０    記憶部
４０    検出部
５０    制御部
【図１Ａ】
2013068858.tif 000003
【図１Ｂ】
2013068858.tif 000004
【図２】
2013068858.tif 000005
【図３】
2013068858.tif 000006
【図４】
2013068858.tif 000007
【図５】
2013068858.tif 000008
【図６】
2013068858.tif 000009
【図７】
2013068858.tif 000010